(57)【特許請求の範囲】
【請求項１】
セメント硬化材で矩形状に成形したマットと該マットに被嵌する合成樹脂シート材で矩形状に成形したマスクとから成り、上記マットは縦方向又は／及び横方向に延びる第一目地溝を有し、上記マスクは上記マットの上面を覆う天板部と該天板部の周縁に形成した外嵌め部と同天板部の内域に形成した内嵌め部を有し、上記外嵌め部を上記マットの周囲側面に被嵌すると共に、上記内嵌め部を上記マットの第一目地溝内に嵌入する構成を有する施工面覆工用複合マットであって、上記矩形状マスクの表面に白色系着色を施すと共に、上記矩形状マスクの隣接する２辺の下面開口縁に隣に敷設されるマットの下面を載置するマット載置片を張り出して設け該各マット載置片の角部をカットし、同矩形状マスクの別の隣接する２辺の下面開口縁に隣に敷設されるマットに被嵌されているマスクの外嵌め部の外側面に当接するマット定規片を張り出して設けたことを特徴とする施工面覆工用複合マット。
【請求項２】
上記マスク内に上記セメント硬化材を充填して上記マットを成形し、上記マスクと上記マットを密着させたことを特徴とする請求項１記載の施工面覆工用複合マット。
【請求項３】
上記マスクは上記マットの第一目地溝と対応する第二目地溝を有し、該第二目地溝を形成する目地溝形成壁で上記内嵌め部を形成したことを特徴とする請求項１又は請求項２のいずれかに記載の施工面覆工用複合マット。
【発明の詳細な説明】
【技術分野】
【０００１】
本発明は、例えば、建物の屋上や遊休地を活用した地上などの施工面を縦横に連続して覆工する複合マットに関する。
【背景技術】
【０００２】
現今は、地球環境問題に取り組むため、低炭素社会実現に貢献する再生可能エネルギーのひとつとして、太陽光発電が注目されており、ビル・マンションなどの屋上や遊休地などを活用した地上にソーラーパネルが設置されている。
【０００３】
しかし、このソーラーパネルに使用される太陽電池の発電効率を上げるためには適量の日射量が必要となることは言うまでもないが、逆に、太陽電池の表面温度が日射量で上昇すると発電効率を低下する特性を有しており、特に、日射量の多い夏季には、太陽電池の表面が５０〜６０℃となるので、その雰囲気温度を冷却することが望まれる。
【０００４】
そこで、従来は、その雰囲気温度を冷却するために、専用の散水装置や送風装置などを併設して雰囲気温度を冷やす工夫が採られている。
【発明の概要】
【発明が解決しようとする課題】
【０００５】
しかし、太陽光発電は、メーカー間の競争などによって性能向上や低価格化や施工技術の普及が進み、運用と保守の経費は比較的安価になってきているが、導入時の初期費用はいまだ高額なため、これに上記した散水装置や送風装置などを併設することは経済的な負担が大きくなってしまう。
【０００６】
そこで、これらの散水装置や送風装置などに代わって、光反射を利用して発電効率を向上できると共に、太陽電池周辺部の蓄熱性を抑制して温度上昇を低減できる簡易マット型の安価な解決手段の出現も望まれている。
【課題を解決するための手段】
【０００７】
本発明は、建物のベランダや屋上などの施工面を覆工して通常の床組構造体を構築できる複合マットの提供に加えて、上記ソーラーパネルの太陽電池の冷却用としても大いに利用できる複合マットを提供するものである。
【０００８】
詳述すると、セメント硬化材で矩形状に成形したマットと該マットに被嵌する合成樹脂シート材で矩形状に成形したマスクとから成り、上記マットは縦方向又は／及び横方向に延びる第一目地溝を有し、上記マスクは上記マットの上面を覆う天板部と該天板部の周縁に形成した外嵌め部と同天板部の内域に形成した内嵌め部を有し、上記外嵌め部を上記マットの周囲側面に被嵌すると共に、上記内嵌め部を上記マットの第一目地溝内に嵌入する構成を有する施工面覆工用複合マットであって、上記矩形状マスクの表面に白色系着色を施すと共に、上記矩形状マスクの隣接する２辺の下面開口縁に隣に敷設されるマットの下面を載置するマット載置片を張り出して設け該各マット載置片の角部をカットし、同矩形状マスクの別の隣接する２辺の下面開口縁に隣に敷設されるマットに被嵌されているマスクの外嵌め部の外側面に当接するマット定規片を張り出して設けたことを特徴とする。
【０００９】
好ましくは、上記マスク内に上記セメント硬化材を充填して上記マットを成形し、上記マスクと上記マットを密着させる。
【００１０】
又、上記マスクは上記マットの第一目地溝と対応する第二目地溝を有し、該第二目地溝を形成する目地溝形成壁で上記内嵌め部を形成する。
【発明の効果】
【００１３】
本発明にあっては、上記マットと上記マスクとから成る複合マットを建物のベランダや屋上などの施工面に連続して敷設すれば、当該複合マットを防水層保護マットとして、通常の歩行用床組構造体が容易に構築でき、又、遊休地などを活用した地上の施工面に連続して敷設すれば、当該複合マットを防草抑止マットとして、同様に、歩行用の床組構造体が容易に構築できる。
【００１４】
特に、この場合に、建物の屋上などに設置されたソーラーパネル下方の施工面に連続して敷設したり、遊休地などを活用した地上に設置されたソーラーパネル下方の施工面に連続して敷設すると、そのソーラーパネルで使用される太陽電池の発電効率を大幅に向上できる。
【図面の簡単な説明】
【００１５】
【図１】本発明の第一実施例に係る複合マットを示す分解斜視図。
【図２】矩形マットの縦断面図。
【図３】矩形マスクの縦断面図。
【図４】（Ａ）は矩形マスクを裏返して成形型として兼用する状態を示す斜視図、（Ｂ）は同成形型を兼用する矩形マスク内に矩形マットの成形材料を充填した状態を示す断面図。
【図５】（Ａ）は矩形マスクの上面がフラット面を呈する状態を示す斜視図、（Ｂ）は矩形マスクの上面が凹凸面を呈する状態を示す斜視図。
【図６】１枚の矩形マットに複数の矩形マスクを被嵌する状態を示す斜視図。
【図７】ソーラーパネル下方の施工面に第一実施例に係る複合マットを敷設した状態を示す説明図。
【図８】（Ａ）（Ｂ）は第二実施例に係る複合マットに供される矩形マスクを示す平面図。
【図９】図８Ａの複合マットの敷設状態を示す断面図。
【図１０】図８Ｂの複合マットの敷設状態を示す断面図。
【実施例１】
【００１６】
以下、本発明に係る施工面覆工用複合マットを図１乃至図１０に基づき詳述する。
【００１７】
第一実施例に係る複合マット１は、図１に示すように、後述するセメント硬化材で成形されたブロック状の矩形マット２と、後述する合成樹脂シート材で成形されて下面側が開放する箱状の矩形マスク３とから成り、上記矩形マット２に該矩形マスク３を被嵌して得られる複合体を施工面に縦横に連続して敷設することにより歩行用の床組構造体を構築できる構成となっている。尚、本実施例では、矩形マット２と矩形マスク３の高さ寸法を略同一に設定しているが、矩形マスク３の高さを矩形マット２のそれよりも短寸となすことも可能である。
【００１８】
そして、前者の矩形マット２は、図２にも示すように、その上面側に縦方向と横方向に交差して延びるＵ字状の第一目地溝４を形成して、上面側に複数の小区画壁２ａを形成すると共に、上記各第一目地溝４の底部にネット状の屈撓性連結材５を埋設して、上記第一目地溝４が歩行に伴う踏圧などで割れたような場合でも、当該屈撓性連結材５の連結作用で、矩形マット２自体が崩壊することがないように構成されている。尚、具体的には図示しないが、上記ネット状の屈撓性連結材５に代えて、矩形マット２の裏面にシート状の屈撓性連結材を裏打ちして、踏圧などによる矩形マット２自体の崩壊を防止することも可能である。
【００１９】
尚、この矩形マット２の成形材料としては、セメントと砂、ガラス、木片、鉱物などの各種骨材とを混練したセメント硬化材を用いるか、又は、古タイヤを破砕して得られたゴムチップの集合材を接着剤と混練した硬化材を用いるか、或いは、上記セメント硬化材の他、砂、ガラス、木片、鉱物などの各種骨材と合成樹脂をバインダーとした硬化材を用いることができる。更に、上記セメントや合成樹脂の他、鉱滓、焼却灰、石膏など、乾燥固化されるものに上記各種骨材を配合した硬化材も用いることができる。
【００２０】
又、後者の上記矩形マスク３は、図３にも示すように、上記矩形マット２の上面を覆う天板部３Ａと該天板部３Ａの全周縁から連続して垂れ下がる外嵌め部３Ｂと同天板部３Ａの内域から交差して垂れ下がる内嵌め部３Ｃを有し、上記外嵌め部３Ｂを上記矩形マット２の周囲側面に被嵌すると共に、上記内嵌め部３Ｃを上記矩形マット２の第一目地溝４内に嵌入することにより、矩形マット２に対する確実な被嵌状態が得られる構成となっている（図９・図１０参照）。尚、上記外嵌め部３Ｂは、マット２の周囲側面に対する確実な被嵌状態を得るために、図示するように、上側の傾斜面３ｄと下側の垂直面３ｅとから成り、マット２の高さ寸法と略同一である。
【００２１】
そして、上記天板部３Ａの上面側に上記矩形マット２の縦横で交差する第一目地溝４と対応するＵ字状の第二目地溝６を縦横に交差して形成し、上面側に複数の小区画壁３ａを形成すると共に、該各第二目地溝６を形成する目地溝形成壁でＶ字状を呈する上記内嵌め部３Ｃを形成し、上記外嵌め部３Ｂのマット周囲側面に対する被嵌状態を得て、該各内嵌め部３Ｃを対応する矩形マット２の第一目地溝４内に嵌入することにより、当該矩形マスク３を上記矩形マット２に確実に被嵌できる構成となっている（図９・図１０参照）。尚、当該矩形マスク３は、少なくとも、その表面を光反射効率の良い白色系で着色する。
【００２２】
又、この矩形マスク３の成形材料としては、高摩擦型高密度ポリエチレンシートなどの合成樹脂シート材を使用するものとする。
【００２３】
次に、この矩形マット２と矩形マスク３の成形法の一例を示せば、図４Ａに示すように、所定の大きさに切断された上記１枚の高摩擦型高密度ポリエチレンシート３´を真
空成形法により上記の下面側が開放する箱形状に成形し、それを逆さまにセットして、同図Ｂに示すように、その下面開口から矩形マット２の上記した成形材料８を充填し、この下面側の底部に上記屈撓性連結材５を埋設して乾燥させれば、これにより、矩形マスク３を成形型として兼用し、矩形マット２と矩形マスク３とが密着した状態のまま一体に成形するものとする。従って、この一体成形法は、両者２・３を密着させて被嵌する上では極めて合理的な成形法となる。
【００２４】
しかし、本発明では、このマット２とマスク３を別々に成形して後から、矩形マット２に矩形マスク３を被嵌することを否定するものではない。この場合には、接着剤などを用いて被嵌状態にあるマット２とマスク３を貼合したり、接着剤を用いずに単に冠装することもできる。但し、上記した一体成形法の下では、マスク３の内嵌め部３Ｃでマット２の対応する第一目地溝４が形成されるので、内嵌め部３Ｃは第一目地溝４内に完全に密着して入り込み、マット２とマスク３との確実な一体化が期待できる。
【００２５】
又、上記第一実施例にあっては、矩形マスク３の上面側に交差する第二目地溝６を形成し、該各第二目地溝６を形成する目地溝形成壁で、矩形マット２の第一目地溝４内に嵌入する内嵌め部３Ｃを形成する構成を採用しているが、図５Ａに示すように、矩形マスク３の天板部３Ａを矩形マット２の各第一目地溝４を完全に覆うフラット面３ｂとなすか、或いは、同図Ｂに示すように、天板部３Ａの各小区画壁３ａごとで直交する規則的な凹凸面或いは不規則的な凹凸面３ｃとなすことも可能である。特に、これらの場合には、マスク３の天板部３Ａを広面積にできるので、その白色系の着色効果により光反射効率が一層向上する。
【００２６】
更に、図６に示すように、１枚の矩形マット２を矩形マスク３よりも大きく成形して、この大きな１枚のマット２に複数のマスク３を個々に被嵌するように構成することも可能である。この場合には、複合体としての単位マット１の大きさを比較的に大きくできるので、屋上や地上などの施工面に対する敷設作業や交換作業やメンテナンスが簡略化される。
【００２７】
依って、斯かる第一実施例の複合マット１を建物のベランダや屋上などの施工面に縦横に連続して敷設すれば、当該複合マット１を防水層保護マットとして、歩行用の床組構造体を容易に構築できる。しかも、複合マット１を構成する矩形マット２は第一目地溝４を有しているので、当該第一目地溝４が歩行に伴う踏圧などで屈撓性連結材５で繋がれながら割れると、ベランダや屋上などの不陸を効率良く吸収することが可能となり、下地への追随性や施工性が良好となる。
【００２８】
又、この複合マット１をソーラーパネル１２下方の施工面に敷設すると、図７に示すように、各矩形マスク３の表面に施された白色系着色の光反射効果で、ソーラーパネル１２の裏側に入射した太陽光をソーラーパネル１２側に反射させ、この反射光を受光させて適量の日射量を与えることができるので、今までのものと比べると、発電効率を上げることが可能となる。従って、両面受光型のソーラーパネルであれば、より高い発電効率が期待できる。従って、本発明は、置敷工法を採用している関係で、メンテナンス性に優れ、連結状態での飛散やズレにも対応できる。
【００２９】
尚、ソーラーパネル１２は、通常、建物の屋上や遊休地などを活用した地上に設置される訳であるから、第一実施例に係る複合マット１も屋上や地上に連続して敷設されることとなるが、この場合、建物の屋上などに敷設すると、防水層保護マットとしても兼用でき、遊休地などの地上に敷設すると、防草抑止マットとしても兼用できる。特に、地上に敷設する場合には、矩形マスク３の第二目地溝６や矩形マット２の第一目地溝４を利用して、各溝４・６からアンカーピン（釘）などを地中に打ち込めば、複合マット１自体を地上に対してしっかり固定できるので、敷設状態を確実に維持したり不要なズレや飛散を有効に防止できる。
【００３０】
又、第一実施例の複合マット１でソーラーパネル１２の裏側に入射した太陽光を反射できることは、十分な放熱効果を発揮して、太陽電池を含むその周辺部の蓄熱性を抑制して温度上昇を低減でき、従来の如く、太陽電池の温度が上昇して発電効率を低下する心配もなくなる。従って、特に、日射量の多い夏季でも、その雰囲気温度を冷却することが十分に可能となる。
【実施例２】
【００３１】
次に、第二実施例に係る複合マット１を詳述すると、該第二実施例のものは、基本的には、上記した第一実施例の構成をそのまま踏襲するものであるが、異なるところは、図８Ａに示すように、複合マット１を構成する矩形マスク３の隣接する２辺の下面開口縁に、隣に敷設されるマット２の下面を載置する一対のマット載置片９を張り出して連設するか、或いは、同図Ｂに示すように、これに加えて、矩形マスク３の別の隣接する２辺の下面開口縁に、隣に敷設されるマット２に被嵌されているマスク３の外嵌め部３Ｂの外側面又は同マット２の外側面に当接するマット定規片１０を張り出して連設する。但し、このマット定規片１０は上記マット載置片９よりも長さが短い。
【００３２】
尚、この第二実施例にあっては、図８Ａに示すように、上記マット載置片９の角部をカット１１して、複合マット１を縦横に連続して敷設する場合に、隣り合うマット載置片９の角部同士が不要に重ならないように構成することも可能である。
【００３３】
従って、図８Ａに示す矩形マスク３を矩形マット２に被嵌して、該マット２とマスク３の複合体を建物の屋上や遊休地の地上などの施工面に連続して敷設する場合には、図９に示すように、上記マスク３の下面開口縁に連設された各マット載置片９の上面に隣に敷設される矩形マット２の下面が載置されて、該矩形マット２の下面で同マット載置片９を押え付けることが可能となるので、連結状態にある各複合マット１のズレが確実に防止できる。
【００３４】
又、図８Ｂに示す矩形マスク３を矩形マット２に被嵌して、該マット２とマスク３の複合体を建物の屋上や遊休地の地上などの施工面に連続して敷設する場合には、上記図９に示すマット載置片９の押え付けが得られることに加えて、図１０に示すように、上記マスク３の下面開口縁に連設された各マット定規片１０が隣に敷設される矩形マスク３の外嵌め部３Ｂの外側面、又は該外嵌め部３Ｂの高さがマット２よりも短い場合には、同マット２の外側面に当接して、複合マット１間の間隔を一定に維持することが可能となるので、これにより、連結状態での目地決めを可能として外観上の見栄えを向上できる。この場合、マット載置片９を省略してマット定規片１０のみを設けることも可能である。
【００３５】
尚、この第二実施例に係る複合マット１の下でも、第一実施例のものと同様に、歩行用の床組構造体を容易に構築でき、又、ソーラーパネル１２と併用すれば、光反射効果を利用した発電効率の向上や、ソーラーパネル１２の周辺部の蓄熱性を抑制して太陽電池の温度上昇を低減できることは言うまでもない。
【００３６】
以上のように、本発明に係る複合マット１は、フレキシブル性を有する軽量マットなので、最適な状態で床組構造体を提供できる。
【符号の説明】
【００３７】
１    床マット
２    矩形マット
２ａ  小区画壁
３    矩形マスク
３Ａ  天板部
３Ｂ  外嵌め部
３Ｃ  内嵌め部
３ａ  小区画壁
３ｂ  フラット面
３ｃ  凹凸面
３ｄ  傾斜面
３ｅ  垂直面
３´  高摩擦型高密度ポリエチレンシート
４    第一目地溝
５    屈撓性連結材
６    第二目地溝
８    マットの成形材料
９    マット載置片
１０  マット定規片
１１  カット
１２  ソーラーパネル
【図１】
0005603378.tif 000002
【図２】
0005603378.tif 000003
【図３】
0005603378.tif 000004
【図４】
0005603378.tif 000005
【図５】
0005603378.tif 000006
【図６】
0005603378.tif 000007
【図７】
0005603378.tif 000008
【図８】
0005603378.tif 000009
【図９】
0005603378.tif 000010
【図１０】
0005603378.tif 000011